(57)【特許請求の範囲】
【請求項１】
導電性を有する金属板を打ち抜き・折り曲げ加工してなるシールドケースの構造と、該シールドケースに収容されるシールド対象部品の構造とであって、
前記シールドケースは、ケース角位置において側壁端部同士が隣り合う二つの側壁のうち、一方の側壁に第一折り曲げ凸片と第一凸片収容凹部とを有するとともに、他方の側壁に前記第一折り曲げ凸片が係合する第二凸片収容凹部と前記第一凸片収容凹部に係合する第二折り曲げ凸片とを有し、さらに、このような二つの側壁は、前記第一折り曲げ凸片及び前記第二折り曲げ凸片にそれぞれケース内方に突出する突起を有し、
一方、前記シールド対象部品は、部品角位置において隣り合う二つの側面のうち、一方の側面に前記第二折り曲げ凸片の突起が係合する第一突起係合穴部を有するとともに、他方の側面に前記第一折り曲げ凸片の突起が係合する第二突起係合穴部を有する
ことを特徴とするシールドケースとシールド対象部品の構造。
【請求項２】
請求項１に記載のシールドケースとシールド対象部品の構造において、
前記突起は、打ち出しにより形成される打ち出し突起である
ことを特徴とするシールドケースとシールド対象部品の構造。
【請求項３】
請求項１又は請求項２に記載のシールドケースとシールド対象部品の構造において、
前記シールド対象部品は、少なくとも前記シールドケースとの収容開始位置から遠い位置の前記第一突起係合穴部又は前記第二突起係合穴部に対し、この近傍まで前記シールドケースの前記突起を案内するための突起案内溝を有する
ことを特徴とするシールドケースとシールド対象部品の構造。
【発明の詳細な説明】
【技術分野】
【０００１】
本発明は、シールドケースの構造とシールド対象部品の構造とに関する。
【背景技術】
【０００２】
シールド対象部品に電磁ノイズ対策を施すためシールドケースは、導電性を有する金属板を打ち抜き・折り曲げ加工をして、シールド対象部品を覆うことができるような略箱状となる形状に形成されている。シールドケースは、この形状が略箱状であることから、折り曲げ加工を行うと、金属板の端部同士が連続するような部分が生じてしまう。この連続部分は開きが大きくなると、これに伴ってシールド性に影響を来してしまうことから、開き難い構造を採用することが好ましいとされている。例えば下記特許文献１に開示されたシールドケースにあっては、端部同士が連続する部分に加締めを施して開きを防止するようになっている。
【０００３】
シールドケースは、シールド対象部品を覆う部分と、シールド対象部品を係止して抜けを防止する部分とを有している。抜けを防止する部分は、上記加工の際に金属板を矩形状に切り起こして形成されるロック部が一般的である（例えば下記特許文献１参照）。ロック部は、シールドケースに複数形成されている。
【特許文献１】特開２００７−１５７３７８号公報
【発明の開示】
【発明が解決しようとする課題】
【０００４】
シールドケースは、上記の如く、金属板の端部同士が連続するような連続部分の開きが大きくなると、これに伴ってシールド性に影響を来してしまうが、この対策としてシールドケースの構造や加工を複雑化することは好ましくない。従って、開き防止に係る問題点を従来のシールドケースは有している。この他、従来のシールドケースにあっては、切り起こしにより形成されるロック部を複数有することから、シールドケースにおける開口部分が増えて、結果、シールド性に影響を来してしまうという問題点を有している。
【０００５】
本発明は、上記した事情に鑑みてなされたもので、シールド性の向上を図ることが可能な、シールドケースとシールド対象部品の構造を提供することを課題とする。
【課題を解決するための手段】
【０００６】
上記課題を解決するためになされた請求項１記載の本発明のシールドケースとシールド対象部品の構造は、導電性を有する金属板を打ち抜き・折り曲げ加工してなるシールドケースの構造と、該シールドケースに収容されるシールド対象部品の構造とであって、前記シールドケースは、ケース角位置において側壁端部同士が隣り合う二つの側壁のうち、一方の側壁に第一折り曲げ凸片と第一凸片収容凹部とを有するとともに、他方の側壁に前記第一折り曲げ凸片が係合する第二凸片収容凹部と前記第一凸片収容凹部に係合する第二折り曲げ凸片とを有し、さらに、このような二つの側壁は、前記第一折り曲げ凸片及び前記第二折り曲げ凸片にそれぞれケース内方に突出する突起を有し、一方、前記シールド対象部品は、部品角位置において隣り合う二つの側面のうち、一方の側面に前記第二折り曲げ凸片の突起が係合する第一突起係合穴部を有するとともに、他方の側面に前記第一折り曲げ凸片の突起が係合する第二突起係合穴部を有することを特徴としている。
【０００７】
このような特徴を有する本発明によれば、シールドケースの突起と、この突起が係合するシールド対象部品の穴部とで、シールドケースにおける側壁端部同士の連続部分の開きが防止される。また、突起と穴部との係合によって、シールドケース及びシールド対象部品の固定も行われる。本発明のシールドケース及びシールド対象部品は、シールドケースにおける連続部分の開き防止と、二部品の固定（シールドケースの抜け防止）とを、一つの箇所で兼用する構造を有する。本発明によれば、シールド性向上のために構造上の複雑化はなく、むしろ構造の簡素化が図られる。
【０００８】
請求項２記載の本発明のシールドケースとシールド対象部品の構造は、請求項１に記載のシールドケースとシールド対象部品の構造において、前記突起は、打ち出しにより形成される打ち出し突起であることを特徴としている。
【０００９】
このような特徴を有する本発明によれば、二部品の固定を行うための突起（シールドケースの抜け防止を行うための突起）が、シールドケースを開口することなく形成される。これにより、シールド性の低下が防止される。打ち出し突起は、切り起こしにより形成する場合と比べて、同じ機能を省スペースで確保することが可能となる。
【００１０】
請求項３記載の本発明のシールドケースとシールド対象部品の構造は、請求項１又は請求項２に記載のシールドケースとシールド対象部品の構造において、前記シールド対象部品は、少なくとも前記シールドケースとの収容開始位置から遠い位置の前記第一突起係合穴部又は前記第二突起係合穴部に対し、この近傍まで前記シールドケースの前記突起を案内するための突起案内溝を有することを特徴としている。
【００１１】
このような特徴を有する本発明によれば、開き防止兼二部品の固定を行うための突起が、突起案内溝によってスムーズに穴部近傍まで案内される。
【発明の効果】
【００１２】
請求項１に記載された本発明によれば、シールド性の向上を図ることができるという効果を奏する。また、請求項２に記載された本発明によれば、シールド性の向上をさらに図ることができるという効果を奏する。
【００１３】
請求項３に記載された本発明によれば、シールド対象部品をシールドケースに収容する際の作業性に配慮することができるという効果を奏する。
【発明を実施するための最良の形態】
【００１４】
以下、図面を参照しながら説明する。図１は本発明のシールドケースとシールド対象部品の構造の一実施の形態を示す図であり、図１（ａ）はシールドケースとシールド対象部品の組み付け前の斜視図、図１（ｂ）はシールド対象部品の要部拡大図、（ｃ）はシールドケースの要部拡大図である。また、図２はシールドケースの展開形状を示す図である。
【００１５】
また、図３はシールドケースとシールド対象部品と組み付けた状態を示す図であり、図３（ａ）は側面図、図３（ｂ）は（ａ）のＡ−Ａ線断面図、図３（ｃ）は（ａ）のＢ−Ｂ線断面図である。また、図４はシールドケースとシールド対象部品と組み付けた状態を示す斜視図である。
【００１６】
図１（ａ）において、シールドケース１は、導電性を有する金属板を打ち抜き・折り曲げ加工をすることにより、例えば図示のような略箱状となる形状に形成されている。シールドケース１は、シールド対象部品２を覆って、このシールド対象部品２に電磁ノイズ対策を施すための部品として備えられている。シールドケース１は、特に図示しないが、回路基板に対し機械的・電気的に接続固定されるようになっている。
【００１７】
シールドケース１は、本形態において、矩形の天井壁３と、この天井壁３の縁部に連続する四つの側壁４（４ａ〜４ｄ）とを有している。四つの側壁４（４ａ〜４ｄ）は、それぞれ天井壁３に対し直交する向きに折り曲げられて形成されている。図中では、側壁４ａと側壁４ｄとが対向するように、また、側壁４ｂと側壁４ｃとが対向するように配置されている。四つの側壁４（４ａ〜４ｄ）には、特に符号を付さないが、弾性を有するグランド部が複数形成されている。
【００１８】
引用符号５（５ａ〜５ｄ）は、シールドケース１におけるケース角位置を示している。ケース角位置５ａ、５ｂにおいては、四つの側壁４（４ａ〜４ｄ）のうち、側壁４ａ及び側壁４ｂと、側壁４ａ及び側壁４ｃの側壁端部同士が開きを最小限に保って隣り合うように配置されている。以下、代表して側壁４ａ及び側壁４ｂの要部構造について説明する。
【００１９】
図１（ｃ）において、側壁４ａの側壁端部には、第一折り曲げ凸片６と第一凸片収容凹部７とが天井壁３側から順に形成されている。第一折り曲げ凸片６は、折り曲げられて側壁４ｂと同一平面となるような凸形状の部分として形成されている。第一折り曲げ凸片６には、シールドケース１の内方に突出する突起８が打ち出しにより形成されている（打ち出し突起であり、シールド性の面やスペース効率の面でこれが最も好ましい。尚、第一折り曲げ凸片６の先端に折り曲げにより形成される突起を形成し、これを上記突起８の代わりとしてもよいものとする）。第一凸片収容凹部７は、凹状の切り欠き部分となる形状に形成されている。
【００２０】
一方、側壁４ｂの側壁端部には、側壁４ａの第一折り曲げ凸片６が係合する第二凸片収容凹部９と、折り曲げられて側壁４ａの第一凸片収容凹部７に係合する第二折り曲げ凸片１０とが形成されている。第二折り曲げ凸片１０には、第一折り曲げ凸片６と同様に、シールドケース１の内方に突出する突起８が打ち出しにより形成されている。
【００２１】
尚、シールドケース１の要部構造となる、第一折り曲げ凸片６、第一凸片収容凹部７、突起８、第二凸片収容凹部９、及び第二折り曲げ凸片１０は、シールドケース１をこの展開形状で見た場合、図２に示す如くの状態に形成されている。
【００２２】
図１（ａ）及び（ｂ）において、シールド対象部品２は、シールドケース１の上記要部構造に対応する部分が次のように形成されている。すなわち、引用符号１１（１１ａ〜１１ｄ）をシールド対象部品２における部品角位置とし、また、引用符号１２（１２ａ〜１２ｄ）をシールド対象部品２における側面とすると、部品角位置１１ａにおいて隣り合う二つの側面１２ａ及び１２ｂのうち、一方の側面１２ａには、第二折り曲げ凸片１０の突起８が係合する第一突起係合穴部１３が形成されている。また、他方の側面１２ｂには、第一折り曲げ凸片６の突起８が係合する第二突起係合穴部１４が形成されている。
【００２３】
第一突起係合穴部１３及び第二突起係合穴部１４は、特に限定するものでないが、有底の穴であって平面視略正方形状に形成されている。
【００２４】
一方の側面１２ａには、シールドケース１との収容開始位置１５から第一突起係合穴部１３の近傍まで真っ直ぐにのびる突起案内溝１６が形成されている。突起案内溝１６は、第二折り曲げ凸片１０の突起８を案内するために形成されている。
【００２５】
上記構成及び構造において、図３及び図４に示す如く、シールドケース１によってシールド対象部品２を覆い、このシールド対象部品２に対して電磁ノイズ対策を施すと、これらシールドケース１及びシールド対象部品２は固定されて抜けが防止されるとともに、シールドケース１における上記側壁端部同士の連続部分の開きも防止される。
【００２６】
具体的には、図３（ｂ）、（ｃ）等に示す如く、第二折り曲げ凸片１０の突起８が第一突起係合穴部１３に係合するとともに、第一折り曲げ凸片６の突起８が第二突起係合穴部１４に係合し、このような係合部分が図４中の楕円Ｃで示す如く複数箇所形成されることから、シールドケース１及びシールド対象部品２が固定されて抜けが防止されるとともに、シールドケース１における側壁端部同士の連続部分の開きも防止される。図４中の楕円Ｃを見ると、第一折り曲げ凸片６及び第二折り曲げ凸片１０がシールド対象部品２の部品角位置１１ａにおいて互い違いになりながらシールド対象部品２に対し巻き付くような状態になっている（互い違いに巻き付く構造により、抜け防止のみならず開き防止にも有効に作用する）。
【００２７】
以上、図１ないし図４を参照しながら説明してきたように、本発明によれば、シールドケース１における側壁端部同士の連続部分の開きを防止し、また、一つの箇所で開き防止と二部品の固定とを兼用する構造を実現し、さらに、シールドケース１の開口を極力減らす構造を実現していることから、従来と比べシールド性の向上を図ることができるという効果を奏する。また、本発明によれば、シールドケース１の構造を簡素化することができるという効果も奏する。
【００２８】
本発明は本発明の主旨を変えない範囲で種々変更実施可能なことは勿論である。
【図面の簡単な説明】
【００２９】
【図１】本発明のシールドケースとシールド対象部品の構造の一実施の形態を示す図であり、（ａ）はシールドケースとシールド対象部品の組み付け前の斜視図、（ｂ）はシールド対象部品の要部拡大図、（ｃ）はシールドケースの要部拡大図である。
【図２】シールドケースの展開形状を示す図である。
【図３】シールドケースとシールド対象部品と組み付けた状態を示す図であり、（ａ）は側面図、（ｂ）は（ａ）のＡ−Ａ線断面図、（ｃ）は（ａ）のＢ−Ｂ線断面図である。
【図４】シールドケースとシールド対象部品と組み付けた状態を示す斜視図である。
【符号の説明】
【００３０】
１  シールドケース
２  シールド対象部品
３  天井壁
４  側壁
５  ケース角位置
６  第一折り曲げ凸片
７  第一凸片収容凹部
８  突起
９  第二凸片収容凹部
１０  第二折り曲げ凸片
１１  部品角位置
１２  側面
１３  第一突起係合穴部
１４  第二突起係合穴部
１５  収容開始位置
１６  突起案内溝
【図１】
0005009212.tif 000002
【図２】
0005009212.tif 000003
【図３】
0005009212.tif 000004
【図４】
0005009212.tif 000005